(57)【要約】【課題】  金属エッジの露出が少なく、強度が大きいフレーム連結部材を提供するとともに、このようなフレーム連結部材を使用することにより強度の大きい外観に優れた空気調和機の吊下げ据付台を提供すること。【解決手段】  本発明に係るフレーム連結部材４０は、略Ｔ字形に配置される第１フレーム１０と第２フレーム２１とを連結するものであって、第１フレーム１０の長手方向に一体的に押出成形された押出型材により形成される。また、本発明に係るフレーム連結部材５０は、略Ｔ字形に配置される第３フレーム２２と第４フレーム３０とを連結するものであって、第３フレーム２２及び第４フレーム３０の長手方向と直角に押出成形されて略Ｌ字形に一体に成形された押出型材から形成される。また、本発明に係る空気調和機の吊下げ据付台は、これらフレーム連結部材を用いたものである。【選択図】      図２
2006125785.tif 000002
【特許請求の範囲】
【請求項１】
第１フレームとこの第１フレームに対し略Ｔ字形に配置される第２フレームとを連結する連結部材であって、第１フレームの長手方向の面に連結される第１連結部と、第２フレームに連結される第２連結部とを有し、これら第１連結部及び第２連結部は第１フレームの長手方向に一体的に押出成形された押出型材からなることを特徴とするフレーム連結部材。
【請求項２】
第１連結部及び第２連結部は、中空構造部を介して一体に成形されていることを特徴とする請求項１記載のフレーム連結部材。
【請求項３】
前記第２連結部は、第２フレーム内に形成された第２フレームの長手方向の空間に挿入されるように構成されるとともに、中空構造に成形されていることを特徴とする請求項１又は２記載のフレーム連結部材。
【請求項４】
第３フレームとこの第３フレームに対し略Ｌ字形に配置される第４フレームとを連結する連結部材であって、第３フレームに連結される第３連結部と、第４フレームに連結される第４連結部とを有し、これら第３連結部及び第４連結部は、第３フレーム及び第４フレームの長手方向と直角に押出成形されることで、略Ｌ字形に一体に成形された押出型材からなることを特徴とするフレーム連結部材。
【請求項５】
第３連結部及び第４連結部は、中空構造部を介して一体に成形されていることを特徴とする請求項４記載のフレーム連結部材。
【請求項６】
前記第３連結部は、第３フレーム内に形成された第３フレームの長手方向の空間に挿入されるように構成されるとともに、前記第４連結部は、第４フレーム内に形成された長手方向の空間に挿入されるように構成され、さらに、第３連結部及び第４連結部は中空構造に成形されていることを特徴とする請求項４又は５記載のフレーム連結部材。
【請求項７】
天井部に添え付けられる押出型材からなる一対の天井フレームと、この一対の天井フレーム間に跨って取り付けられるＵ字型の吊金具とを備えた空気調和機の吊下げ据付台であって、
吊金具は、一対の天井フレームそれぞれから下方に向かって延びる押出型材からなる一対の筒状フレームを有し、
天井フレームを前記第１フレームとするとともに筒状フレームを前記第２フレームとして、第１フレームと第２フレームとを請求項１又は２項に記載のフレーム連結部材により連結してなることを特徴とする空気調和機の吊下げ据付台。
【請求項８】
前記第２連結部は筒状フレーム内に挿入されて取り付けられるように構成されていることを特徴とする請求項７記載の空気調和機の吊下げ据付台。
【請求項９】
天井部に添え付けられる押出型材からなる一対の天井フレームと、この一対の天井フレーム間に跨って取り付けられるＵ字型の吊金具とを備えた空気調和機の吊下げ据付台であって、
吊金具は、一対の天井フレームそれぞれから下方に向かって延びる押出型材からなる一対の筒状フレームと、筒状フレームの下部に取り付けられたフック部とを有し、このフック部を介し両筒状フレームの下部に両端部が連結される押出型材からなるベースフレームとによりＵ字形に形成され、
フック部を前記第３フレームとするとともにベースフレームを前記第４フレームとして、第３フレームと第４フレームとを請求項４又は５記載のフレーム連結部材により連結してなることを特徴とする空気調和機の吊下げ据付台。
【請求項１０】
フック部は、フレーム連結部材を固定する前に引っ掛け可能とするように構成されていることを特徴とする請求項９記載の空気調和機の吊下げ据付台。
【請求項１１】
筒状フレームとベースフレームとの結合部のコーナ外側が筒状フレームと同形のカバー部材により覆われていることを特徴とする請求項１０記載の空気調和機の吊下げ据付台。
【請求項１２】
ベースフレームは筒状に形成され、前記第３連結部はベースフレーム内に挿入されて取り付けられるように構成されていることを特徴とする請求項９〜１１の何れか1 項に記載の空気調和機の吊下げ据付台。
【発明の詳細な説明】
【技術分野】
【０００１】
本発明は、例えば空気調和機の吊下げ据付台のようにフレームを相互に連結する場合に用いるフレーム連結部材及びフレーム連結部材を用いた空気調和機の吊下げ据付台に関する。
【背景技術】
【０００２】
セパレート型空気調和機の室外機は、外気と熱交換させる熱交換器を搭載しているため屋外に設置しなければならない。しかし、集合住宅などでは地上の設置場所がなく、ベランダのスペースも限られているので、上層階のベランダの下面に吊下げ据付台を取り付け、これに室外機を取り付けるのが一般的な方法となっている。このために、集合住宅のベランダの下面側には空気調和機の吊下げ据付台を取り付けるためのアンカーボルトが予め取り付けらている。
【０００３】
このようなアンカーボルトに取り付けられる従来の空気調和機の吊下げ据付台の一例としては特許文献１に記載されているものがある。この空気調和機の吊下げ据付台は、図２１に示すように、天井部に添え付けられる一対の天井フレーム１０１、１０２と、この一対の天井フレーム１０１、１０２間に跨って取り付けられるＵ字型の吊金具１０３とを備えている。また、吊金具１０３は一対の天井フレーム１０１、１０２それぞれから下方に向かって延びる一対の吊フレーム１０４、１０５と、両吊フレーム１０４、１０５の下部に対し両端部が連結されるベースフレーム１０６とによりＵ字形に形成されている。そして、天井フレーム１０１、１０２は図示のように断面Ｌ字形を成しており、鉄系金属材料からなる型材又は板金折り曲げ加工したものが用いられている。また、吊フレーム１０４、１０５及びベースフレーム１０６は、断面略コの字形のステンレス材料からなる型材が用いられている。
【特許文献１】特開２０００−２２０８７０号公報（第２頁、図５、図６）
【発明の開示】
【発明が解決しようとする課題】
【０００４】
このような従来の空気調和機の吊下げ据付台は、特に接合部に板金切断加工などによる端面が多く存在し、鋭い金属エッジ部が多く露出していた。このため金属エッジによるすり傷を負い易く、外観上も好ましいものではなかった。また、接合部は、基本的に板部を接合して締結具で締結する単純な構造となっていた。また、場合によっては結合部を構成するために板金で曲げ加工を行う必要があったが、この場合には、曲げ部の断面係数が小さくなる上、残留応力が発生するため、接合部を構成する部材強度及び連結部の構造物としての剛性に問題があった。この点を、前述の従来例についてさらに具体的に説明する。
【０００５】
天井フレーム１０１、１０２と吊フレーム１０４、１０５との接合は、図２１に示すように、天井フレーム１０１、１０２の垂下辺１０１ａ、１０２ａに対し吊フレーム１０４、１０５のコの字型における底面部分１０４ａ、１０５ａの上端部が当接され、この接合部を１本の止めボルト１０７で固定していた。したがって、板状の垂下辺１０１ａ、１０２ａ及び吊フレーム１０４、１０５の端部の断面係数が小さく、これら部材の強度や変形が問題になっていた。また、吊フレーム１０４、１０５とベースフレーム１０６の両端部との間の連結に関しても同様であった。図２２はこの連結部分の構造を示したもので、ベースフレーム１０６の端部を上方に折り曲げて立上部１０８を形成し、この立上部１０８を吊フレーム１０５の端部を外嵌して、ベースフレーム１０６のコの字形における底面部分１０６ａと吊フレーム１０５のコの字型における底面部分１０５ａとの接合部をボルト１０９で固定していた。しかし、ベースフレーム１０６の端部を立ち上げるにはコの字型における側板部分１０６ｂに切れ目１０６ｃを入れる必要があり、立上部１０８を折り曲げる部分の強度が問題であった。
【０００６】
本発明は、このような従来の課題に鑑み成されたものであって、本発明の目的は、金属エッジの露出が少なく、強度が大きいフレーム連結部材を提供することにある。また、本発明の他の目的は、このような連結部材を使用することにより強度の大きい外観に優れた空気調和機の吊下げ据付台を提供することにある。
【課題を解決するための手段】
【０００７】
上記課題を解決するため、第１の発明に係るフレーム連結部材は、第１フレームとこの第１フレームに対し略Ｔ字形に配置される第２フレームとを連結する連結部材であって、第１フレームの長手方向の面に連結される第１連結部と、第２フレームに連結される第２連結部とを有し、これら第１連結部及び第２連結部は第１フレームの長手方向に一体的に押出成形された押出型材からなることを特徴とする。
【０００８】
また、第２の発明は、第１の発明において、第１連結部及び第２連結部は、中空構造部を介して一体に成形されていることを特徴とする。
また、第３の発明は、第１又は第２の発明において、前記第２連結部は、第２フレーム内に形成された第２フレームの長手方向の空間に挿入されるように構成されるとともに、中空構造に成形されていることを特徴とする。ここに、第２フレーム内に形成される第２フレームの長手方向の空間とは、第２フレームが筒状である場合における筒内空間のみではなく、第２フレームが断面コの字形のフレームである場合におけるコの字内の空間部をも意味するものとする。
【０００９】
また、第４の発明に係るフレーム連結部材は、第３フレームとこの第３フレームに対し略Ｌ字形に配置される第４フレームとを連結する連結部材であって、第３フレームに連結される第３連結部と、第４フレームに連結される第４連結部とを有し、これら第３連結部及び第４連結部は、第３フレーム及び第４フレームの長手方向と直角に押出成形されることで、略Ｌ字形に一体に成形された押出型材からなることを特徴とする。
【００１０】
また、第５の発明は、第４の発明において、第３連結部及び第４連結部は、中空構造部を介して一体に成形されていることを特徴とする。
また、第６の発明は、第４又は第５の発明において、前記第３連結部は、第３フレーム内に形成された第３フレームの長手方向の空間に挿入されるように構成されるとともに、前記第４連結部は、第４フレーム内に形成された長手方向の空間に挿入されるように構成され、さらに、第３連結部及び第４連結部は中空構造に成形されていることを特徴とする。ここに、第３フレーム内に形成される第３フレームの長手方向の空間とは、第３フレームが筒状である場合における筒内空間のみではなく、第３フレームが断面コの字形のフレームである場合におけるコの字内の空間部をも意味するものとする。また、第４フレーム内に形成される第４フレームの長手方向の空間とは、第４フレームが筒状である場合における筒内空間のみではなく、第４フレームが断面コの字形のフレームである場合におけるコの字内の空間部をも意味するものとする。
【００１１】
また、第７の発明は、天井部に添え付けられる押出型材からなる一対の天井フレームと、この一対の天井フレーム間に跨って取り付けられるＵ字型の吊金具とを備えた空気調和機の吊下げ据付台であって、吊金具は、一対の天井フレームそれぞれから下方に向かって延びる押出型材からなる一対の筒状フレームを有し、天井フレームを前記第１フレームとするとともに筒状フレームを前記第２フレームとして、第１フレームと第２フレームとを第１又は第２の発明に記載のフレーム連結部材により連結してなることを特徴とする。
【００１２】
また、第８の発明は、第７の発明において、前記第２連結部は筒状フレーム内に挿入されて取り付けられるように構成されていることを特徴とする。
また、第９の発明に係る空気調和機の吊下げ据付台は、天井部に添え付けられる押出型材からなる一対の天井フレームと、この一対の天井フレーム間に跨って取り付けられるＵ字型の吊金具とを備えた空気調和機の吊下げ据付台であって、吊金具は、一対の天井フレームそれぞれから下方に向かって延びる押出型材からなる一対の筒状フレームと、筒状フレームの下部に取り付けられたフック部とを有し、このフック部を介し両筒状フレームの下部に両端部が連結される押出型材からなるベースフレームとによりＵ字形に形成され、フック部を前記第３フレームとするとともにベースフレームを前記第４フレームとして、第３フレームと第４フレームとを第４又は第５の発明記載のフレーム連結部材により連結してなることを特徴とする。
【００１３】
また、第１０の発明は、第９の発明において、フック部は、フレーム連結部材を固定する前に引っ掛け可能とするように構成されていることを特徴とする。
また、第１１の発明は、第１０の発明において、筒状フレームとベースフレームとの結合部のコーナ外側が筒状フレームと同形のカバー部材により覆われていることを特徴とする。
【００１４】
また、第１２の発明は、第９〜１１の何れかの発明において、ベースフレームは筒状に形成され、前記第３連結部はベースフレーム内に挿入されて取り付けられるように構成されていることを特徴とする。
【発明の効果】
【００１５】
第１の発明に係るフレーム連結部材によれば、第１フレームとこの第１フレームに対し略Ｔ字形に配置される第２フレームとを、押出型材からなる連結部材により連結するものであるので、従来のように型部材又は板部材をプレスで曲げたものと異なり、連結部の肉厚や断面構造を変化させることにより断面係数を大きくし強度を向上させることができる。また、フレーム連結部材部における切断端部は第１フレームの長手方向に直交する両側部のみであり、他の方向の端部は押出時の成形加工により形成されるので、角部にも適宜のアールを形成することができる。したがって、露出される鋭い金属エッジ部が少なくなり、形状も滑らかすることができる。この結果、金属エッジ部による切り傷等の恐れが減少するとともに、外観体裁が向上する。
【００１６】
また、第２の発明によれば、第１の発明おいて、第１フレームの長手方向の面に結合される第１連結部と、第２フレームに結合される第２連結部とが中空構造部により接続されているので、大きな力の作用する第１連結部と第２連結部との繋ぎ部の強度を向上させることができる。
【００１７】
また、第３の発明によれば、第１又は第２の発明において、第２連結部は、第２フレーム内に形成される第２フレームの長手方向の空間に挿入されるように構成されるとともに、中空構造に成形されているので、ボルト、リベット等の締結具による結合と、第２連結部が第２フレーム内に挿入されることによる保持機能とが相俟って結合部の強度が大きくなるとともに、第２連結部が第２フレーム内に挿入されて眼に触れなくなるので外観がより一層向上する。
【００１８】
また、第４の発明によれば、第３フレームに結合される第３連結部及び第４フレームに結合される第４連結部が、第３フレーム及び第４フレームの長手方向と直角に押出成形されて略Ｌ字形に一体に成形された押出型材から形成されているので、従来のように型部材又は板部材をプレスで曲げたものと異なり、連結部の肉厚や断面構造を変化させることにより断面係数を大きくし強度を向上させることができる。また、フレーム連結部材部における切断端部は第３及び第４フレームの長手方向に直交する両側部のみであり、他の方向の端部は押出時の成形加工により形成されるので、角部にも適宜のアールを形成することができる。したがって、露出される鋭い金属エッジ部が少なくなり、形状も滑らかすることができる。この結果、金属エッジ部による切り傷等の恐れが減少するとともに、外観が向上する。
【００１９】
また、第５の発明によれば、第４の発明において、第３フレームに結合される第３連結部と、第４フレームに結合される第４連結部とが中空構造部により接続されているので、第３連結部と第４連結部との繋ぎ部を構成するコーナ部の強度を向上させることができる。
【００２０】
また、第６の発明によれば、第５の発明において、第３連結部及び第４連結部は、第３フレーム又は第４フレーム内に形成された長手方向の空間に挿入されるように構成され、かつ、中空構造に成形されているので、ボルト、リベット等の締結具による結合と、連結部がフレーム内に挿入されることによる保持機能とが相俟って結合部の強度が大きくなるとともに、連結部がフレーム内に挿入されて眼に触れなくなるので外観がより一層向上する。
【００２１】
また、第７の発明に係る空気調和機の吊下げ据付台によれば、天井部に添え付けられる一対の天井フレームと、この一対の天井フレーム間に跨って取り付けられるＵ字型の吊金具とを備えた空気調和機の吊下げ据付台であって、天井フレームと吊金具を構成する天井フレームから下方に向かって延びる筒状フレームとを前記第１〜第３発明の何れかのフレーム連結部材により連結したので、大きな力の作用する天井フレームと筒状フレームとの連結部の強度が向上する。また、天井フレーム、筒状フレーム及びこれらフレームを連結する連結部材を押出型材とするので、露出される鋭い金属エッジ部が少なくなり、形状も滑らかすることができる。この結果、金属エッジ部による切り傷等の怪我が減少するとともに、外観が向上する。
【００２２】
また、第８の発明によれば、第７発明において、第２連結部が筒状フレーム内に挿入されて取り付けられるので、ボルト、リベット等の締結具による結合機能と、第２連結部が吊フレーム内に挿入されることによる保持機能とが相俟って結合力が大きくなるとともに、第２連結部が吊フレーム内に挿入されて眼に触れなくなるので美観がより一層向上する。
【００２３】
また、第９の発明によれば、天井部に添え付けられる一対の天井フレームと、この一対の天井フレーム間に跨って取り付けられるＵ字型の吊金具とを備えた空気調和機の吊下げ据付台であって、吊金具を構成する天井フレームから下方に向かって延びる筒状フレームと筒状フレームの下部に取り付けられたフック部とを有し、フック部と押出型材から成るベースフレームとを、第４〜第６発明の何れかのフレーム連結部材により連結したので、大きな力の作用するフック部とベースフレームとの連結部の強度が向上する。また、天井フレーム、筒状フレーム、ベースフレーム、及び、
フック部とベースフレームとを連結する連結部材を押出型材とするので、表面に出る金属エッジ部を少なくして滑らかな外表面に形成することができる。したがって、鋭い金属エッジ部による切り傷等の怪我が減少し、外観が向上する。
【００２４】
また、第１０の発明によれば、第９の発明において、フック部にフレーム連結部材を固定する前に、フック部にフレーム連結部材を引掛け可能とするように構成されているので、空気調和機の室外機を取り付ける際に、先ず、フレーム連結部材を介してベースフレームを引っ掛けた状態とすることができる。したがって、この状態で空気調和機の室外機を所定位置高さまで引き上げ、その後にベースフレームをフレーム連結部材を介してフック部に取り付けることで、室外機取り付け作業を容易にすることができる。
【００２５】
また、第１１の発明によれば、第１０の発明において、筒状フレームとベースフレームとの結合部のコーナ外側が筒状フレームと同形のカバー部材により覆われているので、ベースフレームと筒状フレームとの間に違和感がなく外観が向上する。
【００２６】
また、第１２の発明によれば、第１１の発明において、前記第４連結部はベースフレーム内に挿入されて結合されているので、フレーム連結部材とベースフレームとの結合は、ボルト、リベット等の締結具による結合と、第４連結部がベースフレーム内に挿入されることによる保持機能とが相俟って結合力が大きくなる。また、第４連結部がベースフレーム内に挿入されて眼に触れなくなるので外観がより一層向上する。
【発明を実施するための最良の形態】
【００２７】
本発明を具体化したフレーム連結部材、及びこの連結部材を用いた空気調和機の吊下げ据付台について、先ず図１及び図２に基づき全体の概略構成を説明する。図１は本発明の実施の形態に係る空気調和機の吊下げ据付台の全体斜視図であるが、この図から分かるように、本実施の形態に係る空気調和機の吊下げ据付台は、前後方向及び左右方向それぞれに対称的に構成されている。図２は図１において左方向から見た側面図であって、図１における右側の半分のみを示している。これら図面に示されるように、本実施の形態に係る空気調和機の吊下げ据付台は、一対の天井フレーム（第１〜第３の発明における第１フレームに相当する）１０と、一対の天井フレーム１０から下方に吊下げられた一対のＵ字形吊金具とを有している。また、吊金具は、一対の天井フレーム１０それぞれの下方に取り付けられる吊フレーム２０（吊フレーム２０の上部は第１〜第３の発明における第２フレームに相当する）と、吊フレーム２０の下部（第４〜第６の発明における第３フレームに相当する）に両端部が連結されるベースフレーム（第４〜第６の発明における第４フレームに相当する）３０とを有している。
【００２８】
また、吊フレーム２０と天井フレーム１０とは上フレーム連結部材４０（第１〜第３の発明におけるフレーム連結部材に相当する）により連結され、吊フレーム２０の下部とベースフレーム３０とは下フレーム連結部材（第４〜第６の発明におけるフレーム連結部材に相当する）５０により連結されている。なお、吊フレーム２０は、上部は筒状フレーム２１であり、下部はフック部２２である。フック部２２は、下フレーム連結部材５０にベースフレーム３０を取り付けた状態で下フレーム連結部材５０を引っ掛けて保持することを可能にする（図２、図１１参照）。したがって、下フレーム連結部材５０は一端がベースフレーム３０に取り付けられ、他端がフック部２２に取り付けられる。
【００２９】
以下に本実施の形態に係る空気調和機の吊下げ据付台をさらに詳細に説明するが、以下の説明においては、左右方向というときは天井フレーム１０の長手方向をいい、左側は図１における天井フレーム１０の手前の端部側をいい、右側は図１における天井フレーム１０の向うの端部側をいうものとする。また、前後方向というときは図１における右手前側を前、左向こう側を後とする方向をいうものとし、この前側を正面、後側を背面とする。また、本実施の形態に係る空気調和機の吊下げ据付台は、前述のように前後方向及び左右方向それぞれに対称的に構成されているので、以下の説明においては、天井フレーム１０については前側のものを対象として説明し、吊フレーム２０、上フレーム連結部材４０及び下フレーム連結部材５０については前面左側のものを対象として説明し、ベースフレーム３０については左側のものを対象として説明する。
【００３０】
先ず、天井フレーム（第１〜第３の発明における第１フレーム）１０について、図１〜図６に基づき説明する。なお、図３は天井フレーム１０とこの天井フレーム１０の長手方向に対し直角に連結される吊フレーム２０との結合部周りの断面図であり、図４は天井フレーム１０の平面図であり、図５は図４におけるＶ−Ｖ断面図であり、図６は図４におけるＶＩ−ＶＩ断面図である。
【００３１】
天井フレーム１０は、図５の断面図に示されるような断面形状を備えた押出型材を成形し、この押出型材に切断加工、孔開け加工などを施して製作したものである。そして、天井フレーム１０は、ベランダ等の天井部に予め取り付けられたアンカーボルト（図示せず）に取り付けられるものであって、天井部に沿う天井取付片部１１と、天井取付片部１１から下方に向けて延びるフレーム取付片部１２とからなる略Ｌ字型に形成されている。
【００３２】
天井取付片部１１には、天井部のアンカーボルトを挿通させて天井フレーム１０を取り付けるための２個の長孔１１ａが形成されている。この長孔１１ａは、図６に示すように天井取付片部１１の幅（前後方向）の中央部であって、かつ、図４に示すように長手方向の両側部に偏して対称的に２個形成されている。また、天井取付片部１１の上面すなわち天井側の面には、図３、図５及び図６などに示すように、上記長孔１１ａを挟んで長手方向のリブ１３が片側にそれぞれ２本ずつ（計４本）形成されている。
【００３３】
フレーム取付片部１２は、図５及び図６に示すように、材料を大幅に増やすことなく断面係数を大きくするために内部に隔壁により複数の中空部を形成した中空構造部として形成されている。なお、この中空部は天井フレーム１０の長手方向全長に亘って形成されている。また、フレーム取付片部１２は、上半部が垂直部１４として形成され、下半部は天井取付片部１１の反対側（この場合前面側）に傾斜する傾斜部１５として形成されている。垂直部１４には、断面形状が上下方向に長い略長方形の中空部が２個形成され、この中空部を形成する隔壁を介して傾斜部１５が形成されている。傾斜部１５には、段付き長方形中空部１６が傾斜部１５の上面（換言すると天井取付片部１１の反対側の面）１５ａに平行に傾斜して形成されている。傾斜部１５の上面１５ａ中央部には、長手方向全長に延びるスリット１７が形成され（図５、図６参照）、このスリット１７を介して段付き中空部１６が外部に開放されている。
【００３４】
段付き中空部１６は、幅広部分１６ａと幅狭部分１６ｂとが接合した形状のものであって、幅広部分１６ａがスリット１７側に形成され、幅狭部分１６ｂがスリット１７から遠い方に形成されている。天井フレーム１０と筒状フレーム２１とは締結具６０により固定されるが、幅広部分１６ａは、この締結具６０を構成するナット部６２を回転不能に保持しながら長手方向にスライド可能とするように形成されている。また、幅狭部分１６ｂは、締結具６０を構成するボルト部６１の先端部、つまり、ナット部６２から突出するボルト部６１の先端部分を逃がす逃がし部として形成されている。なお、なお、締結具６０はボルト部６１とナット部６２、座金６３及び座金６４から構成されている。
【００３５】
スリット１７の幅は、後述する上フレーム連結部材４０の突出部４３がスリット１７に挿入されてスライド可能となる幅寸法とされ、ナット部６２が外れない程度の寸法とされているが、中央部は中空部１６の幅広部分１６ａの幅一杯まで拡げた開放部１７ａとされている（図１参照）。この開放部１７ａは、締結具６０のナット部６２を天井フレーム１０の端からわざわざ入れなくてもよいように設けられたものであって、この開放部１７ａからナット部６２を挿入することを可能とする。また、傾斜部１５の後方には、この傾斜部１５の強度をさらに向上させるためのリブ１８が突出して形成されている（図１、図５参照）。ただし、このリブ１８は、アンカーボルトによる天井フレーム１０の取付作業の邪魔にならないように、長孔１１ａ間のみに残されている（図１参照）。
【００３６】
上記構成の天井フレーム１０は、図５の断面形状のものを押出加工により製作し、その後に長孔１１ａ、スリット１７の開放部１７ａを加工するとともに、リブ１８を所定部分のみ残して両端部を切り落とすことにより製作される。したがって、切断面は、天井フレーム１０の長さ方向の端部にのみ露出することになり、かつ、他の断面における角部などには適宜のアールを形成して押出することができる。また押出方向には複雑な形状も可能となり、上述のようなフレーム取付片部１２の中空構造や天井取付片部１１のリブ１３なども容易に形成することができる。
【００３７】
このように構成された、天井フレーム１０は、前述の長孔１１ａにアンカーボルトの螺子部を通してナット止めすることにより、ベランダの下面などの天井部に取り付けられる。そして、この場合には、天井取付片部１１が相対向するように一対取り付けられるので、天井フレーム１０に対し吊フレーム２０を取り付ける作業は、アンカーボルトに邪魔されずに、アンカーボルトの反対側の斜め上方から作業することができ、作業性が向上する。また、一対の吊フレーム２０間の上部の間隔を下部の間隔（この間隔は主としてベースフレームの長さに左右さされるが）より大きくすることが容易になる。そして、このように上部の間隔を広げると、外観上安定感を増すような印象を与えることができる。
【００３８】
次に、吊フレーム２０は、前述のように上部の筒状フレーム２１と下端部のフック部２２とにより構成されている。筒状フレーム２１は、図７及び図８に示すように、左右方向に長い略長方形断面の中空部材であるが、天井取付片部１１の反対側の面は円弧状に形成されている。そして、左右方向の両側面（図面では一方の面のみ表示）の上下には、上フレーム連結部材４０及びフック部２２をリベット４７、リベット２３（図１及び図２参照）により筒状フレーム２１に結合するためのリベット用孔２１ａ、リベット用孔２１ｂを設けている。
【００３９】
上記筒状フレーム２１は、アルミ押し出し加工により製作されている。したがって、筒状フレーム２１は、上下端部に切断による金属エッジが露出されるが、他の部分には切断による金属エッジが露出されない。また、筒状フレーム２１は、天井取付片部１１の反対側の面（この場合前面側の面）のように円弧状の面を容易に形成することができ、角部にも適宜のアールを形成することができる。
【００４０】
次に、吊フレーム２０の下部を構成するフック部２２について図９〜図１３に基づき説明する。なお、図９はフック部及び下フレーム連結部材周りの断面図であり、図１０は同フック部及び下フレーム連結部材周りの正面図（図９における右方向から見た図）であり、図１１は同フック部及び下フレーム連結部材周りの断面図であって、フック部に下フレーム連結部材を引っ掛ける直前の状態図であり、図１２はフック部の背面図（図９における左方向から見た図）であり、図１３は図１２におけるＸＩＩＩ−ＸＩＩＩ断面図であり、図１４は図１２におけるＸＩＶ−ＸＩＶ断面図である。
【００４１】
フック部２２は、これら図に示されるように、筒状フレーム２１に挿入される断面Ｃ字型部分２２ａ（図１３に示されるような断面）と筒状フレーム２１の下方に突出するコの字型部分２２ｂ（図１４に示されるような断面）とに大別される。Ｃ字型部分２２ａにおいては、左右側方には大径のリベット用孔２３ａが設けられ（図９、図１１参照）、フック部２２と筒状フレーム２１とが大径のリベット２３により結合されている（図１、図２参照）。また、背面（図９における左側から見た面）に形成された折り返し片には、小径のリベット用孔２４ａが２個設けられ（図１２、図１３参照）、フック部２２と筒状フレーム２１の天井取付片部１１側の面（この場合背面側の面）とがこのリベット用孔２４ａを使用してリベット２４（図２参照）により結合されている。
【００４２】
また、コの字型部分２２ｂの下端には、下フレーム連結部材５０を引っ掛けてぶら下げるための鍵部２５が設けられている。この鍵部２５には、下フレーム連結部材５０にベースフレーム３０を取り付けた状態で引っ掛けることができる。また、正面（図９における右側の面）には、下フレーム連結部材５０を締結具７０で結合するためのボルト座２６及びボルト孔２７が設けられている（図９、図１１〜図１４参照）。上記構成のフック部２２は、鋼板を板金加工して製作されているが、組立状態においてＣ字型部分２２ａは筒状フレーム２１内に挿入される。一方、コの字型部分２２ｂは、筒状フレーム２１の下方に露出した状態となる。また、コの字型部分２２ｂは、内側空間部に後述する下フレーム連結部材５０の第３連結部５１が端部から挿入される形となるように、下フレーム連結部材５０に外嵌される。そして、このようにフック部２２が下フレーム連結部材５０を外嵌した部分は筒状フレーム２１と略同形のカバー部材８０により覆われる。このカバー部材８０は、樹脂製であって断面略コの字形を成し、フック部２２からベースフレーム３０にかけてのコーナ部をこの据付台の外側から覆うことができる。コの字型部分２２ｂの側面にはカバー部材８０のストッパ用の突起が入る孔２８が設けられている。なお、締結具７０はボルト部７１とナット部７２、座金７３及び座金７４から構成されているが、この締結具７０もカバー部材８０により覆われる。
【００４３】
ベースフレーム３０は、図１、図２、図１３などの示すように、断面を上向きのコの字状とし、その両立上片部の端部を相対向するように折り曲げて、折り曲げ端部間にスリット３１を形成したものである。また、ベースフレーム３０は、このような断面を備えるように押出成形された押出型材から製作されている。そして、スリット３１には従来公知の室外機を取り付けるための防振固定装置３２が取り付けられている。室外機はこのベースフレーム３０の上に載置され固定されるように形成されている。なお、ベースフレーム３０の両端部の上面及び側面で下フレーム連結部材５０をリベット３３、３４により固定されている。なお、ベースフレーム３０は、押出型材により上記のように構成されているので、前後の切断面を除いては、切断による金属エッジが露出していない。
【００４４】
本実施の形態は、上記のような主としてアルミ押出型材により製作された天井フレーム１０、吊フレーム２０及びベースフレーム３０を備えた空気調和機の吊下げ据付台に関するものであるが、特にこれらフレームを連結するために、押し出し型材から製作されたフレーム連結部材４０、５０を使用する点に特徴を備えている。以下この連結部材についてさらに詳しく説明する。
【００４５】
上フレーム連結部材（第１〜第３の発明におけるフレーム連結部材）４０について、図３、図１５及び図１６に基づき説明する。なお、図１５は上フレーム連結部材の左側面図であり、図１６は上フレーム連結部材の背面図（図１５における左側から見た図）である。
【００４６】
上フレーム連結部材（第１〜第３の発明におけるフレーム連結部材）４０は、天井フレーム１０と吊フレーム２０の上部を成す筒状フレーム２１とを接続するものであって、図１５の左側面図における左端面の形状の押出型材から製作されている。すなわち、図１５の左側面図における左端面の形状の押出型材を製作し、所定幅に切断した後に孔開け加工して製作されている。上フレーム連結部材４０は、図３、図１５及び図１６に示すように、前記傾斜部１５に当接する第１連結部４１（第１〜第３の発明における第１連結部に相当する）と筒状フレーム２１に挿入される第２連結部（第１〜第３の発明における第２連結部に相当する）４２とを有している。第１連結部４１は、組立状態において垂直面から約４０度天井取付片部１１の反対側に傾斜し、第２連結部４２は垂直面から約５度天井取付片部１１側に傾斜している。
【００４７】
第１連結部４１は、図３から分かるように、傾斜部１５に当接する部分は板状に形成されているが、強度を大きくするために厚さを大きくしている。また、第１連結部４１には、傾斜部１５側に前述のスリット１７に嵌る突出部４３が形成され、その中央部分に締結具６０のボルト部６１を貫通させるボルト孔４４が形成されている。また、第１連結部４１の上端部に、天井フレーム１０に当接する当り面４５が形成されている。
【００４８】
第２連結部４２は、材料を少なくして強度を大きくするために中空構造に形成されているものであって、左右方向の寸法は筒状フレーム２１の筒状内部の寸法に略一致させ、また、前後方向の寸法も筒状フレーム２１の筒状内部の寸法に略一致させている。なお、図３において、前面側（図３における右側）に隙間があるのは筒状フレーム２１の手前側が図８から分かるように大きな半径の円弧をなすように形成されているためである。しかし、筒状フレーム２１の左右両側内部においては、筒状内部の前後方向寸法と第２連結部４２の前後方向寸法とを略一致させているので、隙間は略無しの状態である。
【００４９】
また、第２連結部４２の背面側（図１５における左側の面）上方部には、筒状フレーム２１における天井取付片部１１側の面にリベット４６により固定するためのリベット用孔４６ａが２個開けられている。また、下方には、大径のリベット４７を挿通させるためのリベット用孔４７ａが形成されている。そして、両連結部４１、４２は、中空構造部、すなわち、中空状のコーナ部４８を形成する隔壁により連結されている。コーナ部４８は、前後方向の寸法が第２連結部４２の前後方向寸法より若干大きく形成されているので、第２連結部４２が筒状フレーム２１の上部に隙間が開かないように形成されている。
【００５０】
上フレーム連結部材４０は、上記のように図１５の左側面図における左端面の形状の押出型材から製作されたものであって、図１５の左側面図から見た各角部には適宜のアールを形成されるとともに、曲がり部などにも適宜の丸みを持たせているので、滑らかな形状に形成されている。したがって、両側の切断面を除いては鋭い金属エッジが露出しない。また、上フレーム連結部材４０は、第１連結部４１は厚さを大きくして形成するとともに、第２連結部４２及び第１連結部４１と第２連結部４２との接続部が中空構造に形成されているので、断面係数が大きく強度を向上させることができる。
【００５１】
次に、図９〜図１１及び図１７〜図２０に基づき下フレーム連結部材（第４〜第６発明におけるフレーム連結部材）５０を説明する。なお、図１７は下フレーム連結部材の左側面図であり、図１８は下フレーム連結部材の平面図であり、図１９は下フレーム連結部材の背面図であり、図２０は下フレーム連結部材の正面図である。
【００５２】
下フレーム連結部材（第４〜第６発明におけるフレーム連結部材）５０は、前述のようにベースフレーム３０を吊フレーム２０の下部のフック部２２に連結するための連結部材であって、図１７の左側面図における左端面の形状の押出型材から製作されている。すなわち、図１７の左側面図における左端面の形状の押出型材を製作し、所定幅に切断した後に孔開け加工して製作されている。下フレーム連結部材５０は、図１７から良く分かるように、垂直方向に延びる第３連結部５１と水平方向に延びる第４連結部５２とが一体的に形成されたものである、第３連結部５１はフック部２２（第４〜第６発明にいう第３フレームに相当する）に連結される連結部であり、第４連結部５２はベースフレーム３０（第４〜第６発明にいう第４フレームに相当する）に連結される連結部であって、両者は押出加工により中空構造に形成されている。
【００５３】
第３連結部５１の上部前面側には、前述のフック部２２のボルト座２６を安定的に重ねて配置できるようにテーパ壁５３ａを備えた台形溝部５３が形成されている。そして、この台形溝部５３の中央部には、締結具７０のボルト部７１貫通用のボルト孔５４ａが形成されている。また、この台形溝部５３の背面側の中空部５５は、締結具７０のナット部７２を左右の端部からスライド式に挿入し、回転しないように保持することのできるような垂直方向の寸法に形成されている。また、ナット部７２が内部で前後方向に動かないようにナット部の厚みに合わせた位置において上下から中空部内に突出する突出壁５６を設けている。なお、この中空部５５の背面側にも前述のボルト貫通用のボルト孔５４ａに対応する位置に略同形の孔５４ｂが設けられているが、この孔５４ｂはボルト部７１の先端部が当接するのを回避するために設けられたものである。
【００５４】
さらに、第３連結部５１の前面下方には、前記フック部２２の鍵部２５に下フレーム連結部材５０を引っ掛けるための長方形の引掛け孔５７が形成されている。図１１は下フレーム連結部材５０を鍵部２５に引っ掛ける直前の状態を表したものである。一方、前述の図９は組立状態の図であって、引掛け孔５７が鍵部２５の底部にきちっと嵌った状態では、フック部２２のボルト座２６の位置と台形溝部５３の位置との調整が行われるように構成されている。
【００５５】
一方、第４連結部５２の先端部には、左右に貫通する大径のリベット用孔５８が設けられている。また、第４連結部の上面には小径のリベット用孔５９が設けられている。第４連結部５２は、これらリベット用孔５８、リベット用孔５９を使用して、ベースフレーム３０をリベット３３、リベット３４により固定している。
【００５６】
この吊下げ据付台は、前後、左右それぞれに対称的に構成されているので、ベースフレーム３０の両端部に下フレーム連結部材５０を固定し、前後何れか一方の下フレーム連結部材５０をフック部２２に引っ掛けた状態にすると、吊下げ据付台のベースフレーム３０が開放された状態でぶら下がる。例えば、後側の下フレーム連結部材５０をフック部２５に引掛けないで前側の下フレーム連結部材５０を前側のフック部２２に引掛けた場合は、前側のフック部２２の鍵部２５を中心にして下フレーム連結部材５０が図１１における反時計回りに回転してぶら下がるようになる。したがって、この状態で室外機を所定高さまで持ち上げ、その後に後側の下フレーム連結部材５０を後側のフック部２２の鍵部に引っ掛けるようにすると、室外機を簡易的に支持した状態で下フレーム連結部材５０をフック部２２に対し締結具７０で固定することができる。
【００５７】
下フレーム連結部材５０は、上記のように図１７の左側面図における左端面の形状の押出型材から製作されたものであって、図１７の左側面図から見た各角部には適宜のアールを形成されるとともに、曲がり部などにも適宜の丸みを持たせているので、滑らかな形状に形成されている。したがって、両側の切断面を除いては鋭い金属エッジが露出しない。また、下フレーム連結部材５０は、第３連結部、第４連結部及びこれら連結部の接続部を含め中空構造に形成されているので、断面係数が大きく強度を向上させることができる。
【００５８】
本実施の形態に係る上フレーム連結部材（本発明における第１〜第３の発明に係るフレーム連結部材に相当）４０は、以上のように構成されているので、次のような効果を奏することができる。
【００５９】
（１）  天井フレーム（本発明にいう第１フレームに相当）１０とこの天井フレーム１０に対し略Ｔ字形に配置される筒状フレーム（本発明にいう第２フレームに相当）２１とを押出型材からなる連結部材により連結するものであるので、従来のように型部材又は板部材をプレスで曲げたものとは異なり、連結部の肉厚や断面構造を変化させることにより断面係数を大きくし強度を向上させることができる。また、上フレーム連結部材５０における切断部は天井フレーム１０の長手方向に直交する両側部のみであり、他の方向の端部は押出時の成形加工により形成されるので、角部にも適宜のアールを形成することができる。したがって、露出される鋭い金属エッジ部が少なくなり、形状も滑らかすることができる。この結果、金属エッジ部による切り傷等の恐れが減少するとともに、外観が向上する。
【００６０】
（２）  また、天井フレーム１０の長手方向の面に結合される第１連結部４１と、筒状フレーム２１に結合される第２連結部４２とが中空構造部により接続されているので、大きな力の作用する第１連結部４１と第２連結部４２との繋ぎ部の強度を向上させることができる。
【００６１】
（３）  また、第２連結部４２は、筒状フレーム２１内に形成される筒状フレーム２１の長手方向の空間に挿入されるように構成されるとともに、中空構造に成形されているので、ボルト、リベット等の締結具による結合と、第２連結部４２が筒状フレーム２１内に挿入されることによる保持機能とが相俟って結合部の強度が大きくなるとともに、第２連結部４２が筒状フレーム２１に挿入されて眼に触れなくなるので外観がより一層向上する。
【００６２】
また、本実施の形態に係る下フレーム連結部材（本発明における第４〜第６の発明に係るフレーム連結部材に相当）５０は、前述のように構成されているので、次のような効果を奏することができる。
【００６３】
（１）  フック部２２に結合される第３連結部５１及びベースフレーム３０に結合される第４連結部５２が、フック部２２及びベースフレーム３０の長手方向と直角に押出成形されて略Ｌ字形に一体に成形された押出型材から形成されているので、従来のように型部材又は板部材をプレスで曲げたものとは異なり、連結部の肉厚や断面構造を変化させることにより断面係数を大きくし強度を向上させることができる。また、フック部２２及びベースフレーム３０の長手方向に直交する両側部のみであり、他の方向の端部は押出時の成形加工により形成されるので、角部にも適宜のアールを形成することができる。したがって、露出される鋭い金属エッジ部が少なくなり、形状も滑らかすることができる。この結果、金属エッジ部による切り傷等の恐れが減少するとともに、外観が向上する。
【００６４】
（２）  また、フック部２２に結合される第３連結部５１と、ベースフレーム３０に結合される第４連結部５２とが中空構造部により接続されているので、第３連結部５１と第４連結部５２との繋ぎ部を構成するコーナ部の強度を向上させることができる。
【００６５】
（３）  また、第３連結部５１及び第４連結部５２は、フック部２２又はベースフレーム３０内に形成された長手方向の空間に挿入されるように構成され、かつ、中空構造に成形されているので、ボルト、リベット等の締結具による結合と、連結部がフック部２２又はベースフレーム３０内に挿入されることによる保持機能とが相俟って結合部の強度が大きくなるとともに、連結部がフレーム内に挿入されて眼に触れなくなるので外観がより一層向上する。
【００６６】
また、本実施の形態に係る空気調和機の吊下げ据付台は以上のように構成されているので、次のような効果を奏することができる。
（１）  天井部に添え付けられる一対の天井フレーム１０と、この一対の天井フレーム１０間に跨って取り付けられるＵ字型の吊金具とを備えた空気調和機の吊下げ据付台であって、天井フレーム１０と吊金具を構成する天井フレーム１０から下方に向かって延びる筒状フレーム２１とを上フレーム連結部材４０により連結したので、大きな力の作用する天井フレーム１０と筒状フレーム２１との連結部の強度が向上する。また、天井フレーム１０、筒状フレーム２１及びこれらフレーム１０、２１を連結する上フレーム連結部材４０を押出型材とするので、露出される鋭い金属エッジ部が少なくなり、形状も滑らかすることができる。この結果、金属エッジ部による切り傷等の怪我が減少するとともに、外観が向上する。
【００６７】
（２）  また、上フレーム連結部材４０の第２連結部４２が筒状フレーム２１内に挿入されて取り付けられるので、ボルト、リベット等の締結具６０による結合機能と、第２連結部４２が筒状フレーム２１内に挿入されることによる保持機能とが相俟って結合力が大きくなるとともに、第２連結部４２が筒状フレーム２１内に挿入されて眼に触れなくなるので美観がより一層向上する。
【００６８】
（３）  また、吊フレーム２０の下部を構成するフック部２２と押出型材から成るベースフレーム３０とを、下フレーム連結部材５０により連結したので、大きな力の作用するフック部２２とベースフレーム３０との連結部の強度が向上する。また、天井フレーム１０、筒状フレーム２１、ベースフレーム３０、及び、下フレーム連結部材５０を押出型材とするので、表面に出る金属エッジ部を少なくして滑らかな外表面に形成することができる。したがって、鋭い金属エッジ部による切り傷等の怪我が減少し、外観体裁が向上する。
【００６９】
（４）  フック部２２に下フレーム連結部材５０を固定する前に、フック部２２に下フレーム連結部材５０を引掛け可能とするように構成されているので、空気調和機の室外機を取り付ける際に、先ず、下フレーム連結部材５０を介してベースフレーム３０を引っ掛けた状態とすることができる。したがって、この状態で空気調和機の室外機を所定位置高さまで引き上げ、その後にベースフレーム３０を下フレーム連結部材５０を介してフック部２２に取り付けることで、室外機取り付け作業を容易にすることができる。
【００７０】
（５）  また、筒状フレーム２１とベースフレーム３０との結合部のコーナ外側が筒状フレーム２１と同形のカバー部材８０により覆われているので、ベースフレーム３０と筒状フレーム２１との間に違和感がなく外観が向上する。
【００７１】
（６）  また、下フレーム連結部材５０の第４連結部５２はベースフレーム３０内に挿入されて結合されているので、下フレーム連結部材５０とベースフレーム３０との結合は、ボルト、リベット等の締結具による結合と、第４連結部５２がベースフレーム３０内に挿入されることによる保持機能とが相俟って結合力が大きくなる。また、第４連結部５２がベースフレーム３０内に挿入されて眼に触れなくなるので外観がより一層向上する。
【００７２】
以上説明した実施の形態において、次のように変更したものも本発明に包含される。
上記実施の形態において、筒状フレーム２１を断面コの字形に形成したものとしても良い。ただし、上記実施の形態のように筒状のフレームの方が外観を良好にすることができる。また、少ない材料で強度を向上させることもできる。
【００７３】
また、吊フレーム２０は、上記実施の形態では筒状フレーム２１とフック部２２とから構成していたが、ベースフレーム３０を引掛けることを考えない場合は、吊フレーム２０全体を筒状フレームとしても良い。この場合における下フレーム連結部材５０と吊フレーム２０（すなわち筒状フレーム）との結合構造は、下フレーム連結部材５０とベースフレーム３０との結合構造と同様に下フレーム連結部材５０の第３連結部５１を筒状フレーム２１内に挿入する形状とすればよい。
【００７４】
また、第１発明〜第６発明に係るフレーム連結部材４０、５０は、天井フレーム（本発明における第１フレーム相当）、筒状フレーム（本発明における第２フレーム相当）、ベースフレーム（本発明における第４フレーム相当）を鋼板を板金加工したものにも適用することできる。ただし、これらフレームをアルミ押出型材とした方が全体としての調和がとれ、外観、強度の点でより改善されたものとすることができる。
【図面の簡単な説明】
【００７５】
【図１】本発明の実施の形態に係る空気調和機の吊下げ据付台の全体斜視図である。
【図２】図１において左方向から見た側面図であって、図１における右側の半分のみを示している。
【図３】同実施の形態に係る天井フレームと吊フレームとの結合部周りの断面図である。
【図４】同実施の形態に係る天井フレームの平面図である。
【図５】図４におけるＶ−Ｖ断面図である。
【図６】図４におけるＶＩ−ＶＩ断面図である。
【図７】同実施の形態に係る筒状フレームの側面図である。
【図８】同筒状フレームの平面図である。
【図９】同実施の形態に係るフック部及び下フレーム連結部材周りの断面図である。
【図１０】同実施の形態に係るフック部及び下フレーム連結部材周りの正面図である。
【図１１】同実施の形態に係るフック部及び下フレーム連結部材周りの断面図であって、フック部に下フレーム連結部材を引っ掛ける直前の状態図である。
【図１２】同実施の形態に係るフック部の背面図である。
【図１３】図１２におけるＸＩＩＩ−ＸＩＩＩ断面図である。
【図１４】図１２におけるＸＩＶ−ＸＩＶ断面図である。
【図１５】同実施の形態に係る上フレーム連結部材の左側面図である。
【図１６】同実施の形態に係る上フレーム連結部材の背面図である。
【図１７】同実施の形態に係る下フレーム連結部材の左側面図である。
【図１８】同実施の形態に係る下フレーム連結部材の平面図である。
【図１９】同実施の形態に係る下フレーム連結部材の背面図である。
【図２０】同実施の形態に係る下フレーム連結部材の正面図である。
【図２１】従来例に係る空気調和機の吊下げ据付台の全体斜視図である。
【図２２】同空気調和機の吊下げ据付台におけるベースフレームと吊フレームとの接合部の構造図である。
【符号の説明】
【００７６】
１０  天井フレーム１（第１フレーム）
２１  筒状フレーム（第２フレーム）
２２  フック部（第３フレーム）
２５  鍵部
３０  ベースフレーム（第４フレーム）
４０  上フレーム連結部材
４１  第１連結部
４２  第２連結部
５０  下フレーム連結部材
５１  第３連結部
５２  第４連結部
８０  カバー部材
【図１】
2006125785.tif 000003
【図２】
2006125785.tif 000004
【図３】
2006125785.tif 000005
【図４】
2006125785.tif 000006
【図５】
2006125785.tif 000007
【図６】
2006125785.tif 000008
【図７】
2006125785.tif 000009
【図８】
2006125785.tif 000010
【図９】
2006125785.tif 000011
【図１０】
2006125785.tif 000012
【図１１】
2006125785.tif 000013
【図１２】
2006125785.tif 000014
【図１３】
2006125785.tif 000015
【図１４】
2006125785.tif 000016
【図１５】
2006125785.tif 000017
【図１６】
2006125785.tif 000018
【図１７】
2006125785.tif 000019
【図１８】
2006125785.tif 000020
【図１９】
2006125785.tif 000021
【図２０】
2006125785.tif 000022
【図２１】
2006125785.tif 000023
【図２２】
2006125785.tif 000024